(57)【要約】      （修正有）【課題】イベントに参加するユーザーに対しイベント関連コンテンツを表示するシステムを提供する。【解決手段】イベント関連コンテンツを提供するためのシステムにおいて、イベントを撮影するためのカメラセット１１０、１１１、１１２と、カメラからビデオストリームを受信するように適応された中央ユニット１２０と、イベントサイトにある複数のユーザー端末１４０と、中央ユニットによりアクセス可能であるイベント関連編集コンテンツのソース１６０と、ローカル無線ネットワーク１３０を介して中央ユニット１２０により提供されるイベント関連編集コンテンツおよびビデオストリームを、専用ユーザーインターフェースを通して選択的に表示するためにユーザー端末１４０内に具備されている手段、とを含む。【選択図】図１
2018038056.tif 000002
【特許請求の範囲】
【請求項１】
イベントに参加するユーザーに対しイベント関連コンテンツを提供するためのシステムにおいて、
−  イベントを撮影するためのカメラセット（１１０、１１１、１１２）と、
−  前記カメラからビデオストリームを受信するように適応された中央ユニット（１２０）と、
−  イベントサイトにある複数のユーザー端末（１４０）と、
−  前記中央ユニットと前記複数のユーザー端末間の通信のためのローカル無線ネットワーク（１３０）と、
−  前記中央ユニットによりアクセス可能であるイベント関連編集コンテンツ（６２０）のソース（１６０）と、
−  前記ローカル無線ネットワーク（１３０）を介して前記中央ユニット（１２０）により提供されるイベント関連編集コンテンツおよびビデオストリームを、専用ユーザーインターフェース（８００）を通して選択的に表示するために前記ユーザー端末（１４０）内に具備されている手段と、
−  時間、ユーザー端末位置特定およびトリガリングイベントを含む群の中に含まれるパラメータの一関数としてユーザー端末によりアクセス可能なイベント関連コンテンツの性質および内容を選択的に制御するために前記中央ユニット（１２０）に具備されるコンテンツコントロール手段（４００、４１０、４３０）と、
を含むシステム。
【請求項２】
ユーザー端末（１４０）内に、受信したイベントチケット（２００）または付随するデータから、前記中央ユニットとの通信を確立するための接続情報を導出するための手段をさらに含む、請求項１に記載のシステム。
【請求項３】
イベント関連編集コンテンツを生成するためのエディタプラットフォーム（３００、３１０、３２０）をさらに含み、前記エディタプラットフォームが、外部データソースからイベント関連情報を検索し、前記情報を記憶する（３２０）ための検索手段を含めた、第一の編集モジュール（３００）を含んでいる、請求項１または２に記載のシステム。
【請求項４】
前記エディタプラットフォームが、イベント関連データフラックスをフィルタリングし、検索されたフラックスを前記中央ユニット（１２０）へと導くための検索手段を含む第二の編集モジュール（３１０）を含む、請求項１〜３に記載のシステム。
【請求項５】
前記データフラックスがインスタントメッセージフラックスを含む、請求項４に記載のシステム。
【請求項６】
前記検索手段が、ユーザープロフィール情報に基づく検索基準を使用できる、請求項３〜５のいずれか一つに記載のシステム。
【請求項７】
ローカル無線ネットワークを介してユーザー端末（１４０）から受信した命令に応答して、プロフィールアクセス性を含めたユーザープロフィール情報を変更するための手段をさらに含む、請求項６に記載のシステム。
【請求項８】
ローカル無線ネットワーク（１３０）を通して伝送されたユーザー端末（１４０）からのアクションに応答して編集コンテンツ（６２０）を変更するための手段をさらに含む、請求項１〜７のいずれか一つに記載のシステム。
【請求項９】
前記ユーザー端末（１４０）が、中央ユニット（１２０）に接続された他のユーザー端末（１４０）を表わすユーザーアイコン（８３１）を表示するための手段をさらに含む、請求項１〜８のいずれか一つに記載のシステム。
【請求項１０】
前記ユーザー端末（１４０）が、対応するユーザーに関するまたは対応するユーザー由来の異なる情報要素を選択的に表示できるようにするグラフィカルユーザーインターフェース（８００）を含む、請求項９に記載のシステム。
【請求項１１】
所与のユーザーに関する前記情報要素が、ユーザー端末位置特定データ、所与のユーザーが関与しているメッセージスレッド、または所与のユーザー端末のカメラにより生成されるビデオストリームを含む、請求項１０に記載のシステム。
【請求項１２】
異なる情報要素の選択的表示が、ユーザーアイコン（８３２）がそれに向かってドラッグされる特定のゾーン（８４０、８４１、８４２）にしたがって実施される、請求項１１に記載のシステム。
【請求項１３】
前記ユーザー端末（１４０）が、前記編集プラットフォームから導出されるコンテキスト情報（９１０）を表示できるようにするユーザーインターフェース（９００）を含んでいる、請求項１〜１２のいずれか一つに記載のシステム。
【請求項１４】
前記ユーザーインターフェースがユーザー作動型キーワードの表示を含む、請求項１３に記載のシステム。
【請求項１５】
ユーザー端末（１４０）が捕捉した情報を前記中央ユニット（１２０）に伝送するための手段をさらに含み、こうして前記情報を前記中央ユニットおよび前記ローカル無線ネットワーク（１３０）を介して他のユーザー端末へと転送できるようになっている、請求項１〜１４のいずれか一つに記載のシステム。
【請求項１６】
前記捕捉された情報がビデオストリームを含む、請求項１５に記載のシステム。
【請求項１７】
前記ビデオストリームが、バックステージイベントおよびミニショーなどのイベントのサイドシーンのビデオストリームを含む、請求項１６に記載のシステム。
【請求項１８】
前記捕捉された情報が、ユーザー入力インスタントメッセージを含む、請求項１５〜１７のいずれか一つに記載のシステム。
【請求項１９】
前記カメラ（１１０、１１１、１１２）の位置特定情報を決定するため、および前記ユーザー端末（１４０）上に前記位置特定情報を選択的に表示するためのコンテキストエンジンをさらに含む、請求項１〜１８のいずれか一つに記載のシステム。
【請求項２０】
前記コンテンツコントロール手段（４００、４１０、４３０）が、トリガリングイベントが実際に発生したことに応答して、トリガリングイベントと、前記コンテンツコントロール手段を支配する動作条件とを、時間軸上で設定するためのユーザーインターフェースを有するタイムライン生成手段を含む、請求項１〜１９のいずれか一つに記載のシステム。
【請求項２１】
中央ユニット（１２０）がネットワーク（１５０）を介してイベント関連編集コンテンツソース（１６０）に接続されており、コントロールユニット（１２０）内にはイベント関連編集コンテンツの少なくとも一部分のコピーを記憶してネットワーク負荷をマスターするための手段をさらに含む、請求項１〜２０のいずれか一つに記載のシステム。
【請求項２２】
イベントに参加するユーザーに対しイベント関連コンテンツを提供するための中央ユニット（１２０）を含む、イベントブロードキャスト用のコントロールルーム機器において、前記中央ユニットが、
−  コントロールルーム機器に接続されたカメラ（１１０、１１１、１１２）からのビデオストリームを受信するための手段と、
−  前記中央ユニットとイベントサイトにある複数のユーザー端末（１４０）との間の通信のために、ローカル無線ネットワーク（１３０）に接続するための手段と、
−  イベント関連コンテンツを前記中央ユニットに提供するように適応されたイベント関連編集コンテンツ（１６０、３００、３１０、３２０、３３０）のソース（１６０）にアクセスするための手段と、
−  ビデオストリームおよびイベント関連コンテンツを含む組合せ型コンテンツを、前記ローカル無線ネットワーク（１３０）を介して選択的にブロードキャストするための手段と、
−  ローカル無線ネットワーク（１３０）に接続されたユーザー端末（１４０）からのユーザー関連情報要素を、前記ローカル無線ネットワーク（１３０）を介して受信するための手段と、
−  時間、端末位置特定およびトリガリングイベントを含む群の中に含まれるパラメータの関数としてブロードキャストコンテンツの性質および内容を選択的に制御するための、コンテンツコントロール手段（４００、４１０、４３０）と、
を含む、コントロールルーム機器。
【請求項２３】
前記情報要素が、ユーザー端末位置特定データ、および／またはユーザーが関与するメッセージスレッド、および／またはユーザー端末のカメラにより生成されたビデオストリームを含む、請求項２２に記載のコントロールルーム機器。
【請求項２４】
前記情報要素が、プロフィールアクセス性を含めたユーザープロフィール情報を変更するための命令を含む、請求項２２または２３に記載のコントロールルーム機器。
【請求項２５】
前記情報要素が、コントロールルーム機器により編集コンテンツ（６２０）を変更するための命令を含む、請求項２２〜２４のいずれか一つに記載のコントロールルーム機器。
【請求項２６】
前記カメラの位置特定情報を決定するためのコンテキストエンジンをさらに含む、請求項２２〜２５のいずれか一つに記載のコントロールルーム機器。
【請求項２７】
前記コンテンツコントロール手段が、トリガリングイベントが実際に発生したことに応答して、トリガリングイベントと、前記コンテンツコントロール手段を支配する動作条件とを、時間軸（４１０）上で設定するためのユーザーインターフェースを有するタイムライン生成手段（４００、４３０）を含む、請求項２２〜２６のいずれか一つに記載のコントロールルーム機器。
【請求項２８】
ネットワーク通信能力を有するユーザー端末（１４０）において、
−  所与のイベントについてのイベント関連コンテンツのサーバー（１６０）に対する接続のため、イベントチケット情報（２００）から接続情報を導出するための手段と、
−  イベントにおいて展開されるローカル無線ネットワーク（１３０）を介した前記サーバーへの接続のための手段と、
−  前記ローカル無線ネットワークを介して受信されたイベント関連コンテンツを表示するための手段（８００）と、
を含む、ユーザー端末。
【請求項２９】
前記サーバー（１６０）に対してユーザープロフィール情報を転送するための手段を含む、請求項２８に記載のユーザー端末。
【請求項３０】
ローカル無線ネットワーク（１３０）に接続された他のユーザー端末（１４０）を表わすユーザーアイコン（８３１）を表示するための手段（８００）をさらに含む、請求項２８および２９のいずれか一つに記載のユーザー端末。
【請求項３１】
ユーザーアイコンに対応するユーザーについて、またはユーザーからの異なる情報要素を選択的に表示することができるようにするグラフィカルユーザーインターフェース（８００）を含む、請求項３０に記載のユーザー端末。
【請求項３２】
前記情報要素が、ユーザー端末位置特定データ、ユーザーが関与しているメッセージスレッド、または前記ローカル無線ネットワークを介して受信されたユーザー端末のカメラにより生成されるビデオストリームを含む、請求項３１に記載のユーザー端末。
【請求項３３】
異なる情報要素の選択的表示が、ユーザーアイコン（８３１）がそれに向かってドラッグされる特定のゾーン（８４０、８４１、８４２）にしたがって実施される、請求項３１または３２に記載のユーザー端末。
【請求項３４】
前記ユーザー端末が、前記ローカル無線ネットワークを介して受信されるコンテキスト情報（９１０）を表示できるようにするユーザーインターフェース（９００）を含んでいる、請求項２８〜３３のいずれか一つに記載のユーザー端末。
【請求項３５】
前記ユーザーインターフェースがユーザー作動型キーワードの表示を含む、請求項３４に記載のユーザー端末。
【請求項３６】
イベントに参加するユーザーに対してイベント関連コンテンツを提供するための方法において、
−  イベント関連コンテンツのソース（１６０、６２０）を準備するステップと、
−  イベントサイトにおいて、前記ソースに接続され、イベント中複数のユーザー端末によりアクセス可能である、ローカル無線ネットワーク（１３０）を具備するステップと、
−  イベント中、少なくとも一つのカメラ（１１０、１１１、１１２）でイベントを撮影するステップと、
−  イベント関連コンテンツ、および前記単数または複数のカメラにより提供されるビデオストリームを、ユーザー端末（１４０）に対して選択的に提供するステップと、
−  時間、ユーザー端末の場所、およびトリガリングイベントを含む群の中に含まれるパラメータの関数として、イベント関連コンテンツの性質および内容を制御するステップと、
を含む方法。
【発明の詳細な説明】
【技術分野】
【０００１】
本発明は、イベント、詳細にはカルチャーショー、コンサート、スポーツイベント、コミュニティイベント、政治イベントまたは他の任意のタイプのイベントの分野に関する。
【背景技術】
【０００２】
ライブイベントオーガナイザ（プロモータまたはプロデューサ）の通常の目的は、ユーザーエクスペリエンスを改善させ、このようなイベントから生じる収益を増大させることにある。チケット、商品販売およびスポンサーのプレースメントを含めた（ただしこれらに限定されない）収益は、イベント中急激にピークに達し、翌日には同じように急激に減少することがわかっている。したがって、オーガナイザの目標は、ライブイベントのスケジュールの前後でのユーザーエクスペリエンスを増大させることにあり、考えられる帰結は、イベントの前後の収入の増大である。
【０００３】
ライブイベントは、チケットを購入するために金額を支払い、かつ／または積極的に会場に行くことによって、アーティストまたはイベントのテーマに対する自らの関心を表現する積極的な顧客を呼び集めることから、マーケティングリサーチャにとってまたとないチャンスを提供するということを指摘しておくことが重要である。この顧客は、受動的なＴＶまたはインターネット視聴者とは異なる。その上、マーケティングリサーチャは、イベントに対する関心によって消費者の「心理学的」プロフィールを判定することができるようになり、したがって顧客の個人的嗜好というコンテキストの中で広告およびマーケティングメッセージを出すことができる。イベントは多くの場合、仲間と共に体験されるものであることから、マーケティングリサーチャは、個人化されたメッセージで消費者に到達することのみならず、消費者の友人の輪を識別しターゲットにすることもできる。
【０００４】
これは、従来通りに効果的な予備宣伝、および通信キャンペーンを想定しているだけでなく、より近年ではウェブ販促も想定している。その結果、今日の顧客は、イベントに関するより多くの情報、すなわち実用情報、プログラム情報、アーティストのツアーに関する情報、他の参加著名人、プレミアム、非公開詳細、独占コンテンツなどを欲していることが判明している。
【０００５】
顧客は同様に、参加すること、自らの意見を示すこと、イベント関連フォーラムで討論すること、そして今ではレポータとなってこのイベントについてコメントすることだけでなく自らが撮影した画像または映像を携帯電話またはスマートホンで公開することさえ欲している。このために、顧客は、多くのサイト、ブログ、ウォール、ディスカッションスレッドにアクセスし、そこでそのイベントまたは著名人についての意見を残すことができる。例えばシンガーであるＬａｄｙ  ＧａｇａTMについて、顧客はウェブサイトｌａｄｙｇａｇａ．ｆｒTMにアクセスして独占映像を見、アーティストおよびそのファンらとＦａｃｅｂｏｏｋTM上で会話し、ＴｗｉｔｔｅｒTMでニュースをフォローし、さらにはリアルタイムで会話し、ＹｏｕＴｕｂｅTM上で彼女のコンサートで録画されたアマチュアビデオを見ることなどができる。
【０００６】
観客は、その情報探索の中で、ウェブ上での検索のための能動的なアプローチを採用し、受け取った情報を、そのイベントに真に関係するものと、過去または未来の別のイベントに関するものとの間で、自身で選別する。自らの情報交換の必要性を満たすため、観客は、通常、自身が日常的にアクセスするサイト、サービスおよびソーシャルネットワークの間でナビゲートする。
【０００７】
近年のソーシャルメディアの発達のおかげで、人気のあるライブイベントがいずれも、エンターテイメントおよびソーシャルネットワーキングサイト上での対話型の交換を通して、実際のショーが開始される前に既にバーチャルレベルで始まっていると言うことができる。しかしながら、近づきつつあるイベントのコンテキストの中には、バーチャル「プレショー」をファンが体験できるようにするための集中型プラットフォームまたは技術は存在しない。このようなプラットフォームが利用可能であれば、それはファンにサービスを提供すると同時に、イベントオーガナイザがショーおよびそれに伴う自らの収入を拡張できるようにするものと考えられることは明らかである。
【０００８】
しかしながら、イベント中の観客の活動は通常、自分の携帯電話で写真またはビデオを撮影するか、または単純な通信文をＳＭＳで送ることに限定されているにもかかわらず、エキサイティングな瞬間を友人やコミュニティー、さらにはアーティストと共有するために交信したいという願望が最大限となるのはまさにこの時である。実際には、電気通信サービスの利用は非常に限定されており、ビデオおよび写真は、イベント後にインターネット上にアップロードされる。
【０００９】
観客がイベント中にアクセスできる通信および対話型ツールには、以下のような一定数の欠点がある：
・  高頻度の伝送サービスの拒否：パブリックネットワークの帯域幅は累加的であるため、多数の携帯端末から来るビデオストリームのリアルタイムアップローディングまたはさらに一層多くの端末へのそれらの再ブロードキャストは不可能である。
・  端末使用の問題点：騒音の高い無秩序で照明の乏しい環境においては、スマートホンのスクリーンサイズが小さいために、従来のメニューの形で組織された多数の情報およびサービスの集中的使用が困難である。ユーザーは、ナビゲートするのに疲れ、その代りに、彼らがクイックアクセスのために事前にリンクをプログラミングしておいた、使い慣れているわずかなサービスに集中する。
【発明の概要】
【発明が解決しようとする課題】
【００１０】
したがって、以下のものの一つまたは複数を可能にする新規サービスに対するニーズが存在する：
・  観客が、イベントの前後および最中に前記イベントへの自らの参加においてサービスを使用すること；
・  イベント自体、その出演者、その内容、そのメディア、アート、スポーツまたは歴史環境に関する、さまざまなマルチメディア情報（ビデオ、ミュージック、プレイリスト、記事など）を観客向けに収集すること；
・  組織環境（実用情報、無料パーキング、レストラン、交通手段など）についての情報をリアルタイムで観客に継続的に通知すること；
・  観客が、実際のイベント中、このタイプのイベント中に一般的にはアクセス不能であった新しい情報（スライドショー、楽屋の光景、「メイキング」または「舞台裏」など）を見出すこと；
・  観客が、例えばフラッシュインタビューの形で質問することにより、イベントの出演者および著名人と直接対話すること；
・  観客が、自分のスマートホンを用いて写真、映像および音を撮り、それを直ちに他の観客にブロードキャストすることによってイベントのレポータとなること；
・  観客が、専用ソーシャルネットワーク内でコメント、意見、画像、映像、音などを交換することによりイベントの前後および最中に他の観客と交信すること；
・  観客が、システムによりフィルタリングされ再フォーマットされ、ＴｗｉｔｔｅｒTMなどの他のソーシャルネットワーク上で交換されたたイベントについてのメッセージをリアルタイムで参照すること；
・  観客が、イベントのプロデューサ、オーガナイザ、パートナー、またはスポンサーによって提供される他の任意のサイトまたはサービスにリンクすること；これらのサービスの中に、観客は、通常、イベントに関連する派生的製品を予約または購入できるショップを見出すことになる。観客は、自身が希望する場合、単に自分のスマートホンスクリーンを提示するだけで、前記ショップで予め予約し支払いをした品物をイベントにおいて受取ることができる；
・  ショーの終了時点で観客およびファンの興奮が最高潮となるにつれて、観客がイベントを延長できること；翌日、ファンはイベントに関する意見およびコメントをオンライン検索し、新しい写真および映像を送り、場合によっては公開された画像の中に、自分自身の写真を発見するかもしれない；これらのイベント後のやりとりは、観客、プロデューサ、オーガナイザ、およびマーケティングマネージャに対し重要な追加サービスを提供すると考えられる；
これらのいずれも、照明の乏しい騒音の高いイベントの状況下を含む作業環境内で可能となる。
【００１１】
したがって、本発明の目的の一つは、イベント中の観客のコミュニケーションツールをより有効なものにすることにある。第二の目的は、一定数の要因にしたがってカスタム化された編集コンテンツを組織できるようになることにある。別の第二の目的は、互いに地理的に近接した状態で多数の人々が電気通信ネットワークを単純に使用することに起因する不可避的なサービス拒否を制限することにある。
【課題を解決するための手段】
【００１２】
この目的で、本発明の第一の態様によると、イベントに参加するユーザーに対しイベント関連コンテンツを提供するためのシステムは、
−  イベントを撮影するためのカメラセットと、
−  前記カメラからビデオストリームを受信するように適応された中央ユニットと、
−  イベントサイトにある複数のユーザー端末と、
−  前記中央ユニットと前記複数のユーザー端末間の通信のためのローカル無線ネットワークと、
−  前記中央ユニットによりアクセス可能であるイベント関連編集コンテンツのソースと、
−  前記ローカル無線ネットワークを介して前記中央ユニットにより提供されるイベント関連編集コンテンツおよびビデオストリームを、専用ユーザーインターフェースを通して選択的に表示するために前記ユーザー端末内に具備されている手段と、
−  時間、ユーザー端末位置特定およびトリガリングイベントを含む群の中に含まれるパラメータの一関数としてユーザー端末によりアクセス可能なイベント関連コンテンツの性質および内容を選択的に制御するために前記中央ユニットに具備されるコンテンツコントロール手段と、
を含む。
【００１３】
上述のシステムの好ましい、ただし非限定的な態様は、単独で、または任意の技術的に互換性ある組合せの形で取上げられる、以下の特徴を含む：
＊  システムは、ユーザー端末内に、受信したイベントチケットまたは付随するデータから、前記中央ユニットとの通信を確立するための接続情報を導出するための手段をさらに含む。
＊  システムは、イベント関連編集コンテンツを生成するためのエディタプラットフォームをさらに含み、前記エディタプラットフォームは、外部データソースからイベント関連情報を検索し、前記情報を記憶するための検索手段を含めた、第一の編集モジュールを含んでいる。
＊  前記エディタプラットフォームは、イベント関連データフラックスをフィルタリングし、検索されたフラックスを前記中央ユニットへと導くための検索手段を含む、第二の編集モジュールを含む。
＊  前記データフラックスは、インスタントメッセージフラックスを含む。
＊  前記検索手段は、ユーザープロフィール情報に基づく検索基準を使用できる。
＊  システムは、ローカル無線ネットワークを介してユーザー端末から受信した命令に応答して、プロフィールアクセス性を含めたユーザープロフィール情報を変更するための手段をさらに含む。
＊  システムは、ローカル無線ネットワークを介して伝送されたユーザー端末からのアクションに応答して、編集コンテンツを変更するための手段をさらに含む。
＊  前記ユーザー端末は、中央ユニットに接続された他のユーザー端末を表わすユーザーアイコンを表示するための手段をさらに含む。
＊  前記ユーザー端末は、対応するユーザーに関するまたは対応するユーザー由来の異なる情報要素を選択的に表示できるようにするグラフィカルユーザーインターフェースを含む。
＊  所与のユーザーに関する前記情報要素は、ユーザー端末位置特定データ、所与のユーザーが関与しているメッセージスレッド、または所与のユーザー端末のカメラにより生成されるビデオストリームを含む。
＊  異なる情報要素の選択的表示は、ユーザーアイコンがそれに向かってドラッグされる特定のゾーンにしたがって実施される。
＊  前記ユーザー端末は、前記編集プラットフォームから導出されるコンテキスト情報を表示できるようにするユーザーインターフェースを含んでいる。
＊  前記ユーザーインターフェースは、ユーザー作動型キーワードの表示を含む。
＊  システムは、ユーザー端末が捕捉した情報を前記中央ユニットに伝送するための手段をさらに含み、こうして前記情報を前記中央ユニットおよび前記ローカル無線ネットワークを介して他のユーザー端末へと転送できるようになっている。
＊  前記捕捉された情報はビデオストリームを含む。
＊  前記ビデオストリームは、バックステージイベントおよびミニショーなどのイベントのサイドシーンのビデオストリームを含む。
＊  前記捕捉された情報は、ユーザー入力インスタントメッセージを含む。
＊  システムは、前記カメラの位置特定情報を決定するため、および前記ユーザー端末上に前記位置特定情報を選択的に表示するためのコンテキストエンジンをさらに含む。
＊  前記コンテンツコントロール手段は、トリガリングイベントが実際に発生したことに応答して、トリガリングイベントと、前記コンテンツコントロール手段を支配する動作条件とを、時間軸上で設定するためのユーザーインターフェースを有するタイムライン生成手段を含む。
＊  中央ユニットは、ネットワークを介してイベント関連編集コンテンツソースに接続されており、コントロールユニット内にはイベント関連編集コンテンツの少なくとも一部分のコピーを記憶してネットワーク負荷をマスターするための手段をさらに含む。
【００１４】
第二の態様によると、本発明は、イベントに参加するユーザーに対しイベント関連コンテンツを提供するための中央ユニットを含む、イベントブロードキャスト用のコントロールルーム機器において、前記中央ユニットが、
−  コントロールルーム機器に接続されたカメラからのビデオストリームを受信するための手段と、
−  前記中央ユニットとイベントサイトにある複数のユーザー端末との間の通信のために、ローカル無線ネットワークに接続するための手段と、
−  イベント関連コンテンツを前記中央ユニットに提供するように適応されたイベント関連編集コンテンツのソースにアクセスするための手段と、
−  ビデオストリームおよびイベント関連コンテンツを含む組合せ型コンテンツを、前記ローカル無線ネットワークを介して選択的にブロードキャストするための手段と、
−  ローカル無線ネットワークに接続されたユーザー端末からのユーザー関連情報要素を、前記ローカル無線ネットワークを介して受信するための手段と、
−  時間、端末位置特定およびトリガリングイベントを含む群の中に含まれるパラメータの関数としてブロードキャストコンテンツの性質および内容を選択的に制御するためのコンテンツコントロール手段と、
を含む、コントロールルーム機器を提供している。
【００１５】
上述のコントロールルーム機器の好ましい、ただし非限定的な態様は、単独で、または任意の技術的に互換性ある組合せの形で取上げられる、以下の特徴を含む：
＊  前記情報要素は、ユーザー端末位置特定データ、および／またはユーザーが関与するメッセージスレッド、および／またはユーザー端末のカメラにより生成されたビデオストリームを含む。
＊  前記情報要素は、プロフィールアクセス性を含めたユーザープロフィール情報を変更するための命令を含む。
＊  前記情報要素は、コントロールルーム機器により編集コンテンツを変更するための命令を含む。
＊  機器は、前記カメラの位置特定情報を決定するためのコンテキストエンジンをさらに含む。
＊  前記コンテンツコントロール手段は、トリガリングイベントが実際に発生したことに応答して、トリガリングイベントと、前記コンテンツコントロール手段を支配する動作条件とを、時間軸上で設定するためのユーザーインターフェースを有するタイムライン生成手段を含む。
【００１６】
第三の態様によると、本発明は、ネットワーク通信能力を有するユーザー端末において、
−  所与のイベントについてのイベント関連コンテンツのサーバーに対する接続のため、イベントチケット情報から接続情報を導出するための手段と、
−  イベントにおいて展開されるローカル無線ネットワークを介した前記サーバーへの接続のための手段と、
−  前記ローカル無線ネットワークを介して受信されたイベント関連コンテンツを表示するための手段と、
を含むユーザー端末を提供する。
【００１７】
上述のユーザー端末の好ましい、ただし非限定的な態様は、単独で、または任意の技術的に互換性ある組合せの形で取上げられる、以下の特徴を含む：
＊  端末は、前記サーバーにユーザープロフィール情報を転送するための手段を含む。
＊  端末は、ローカル無線ネットワークに接続された他のユーザー端末を表わすユーザーアイコンを表示するための手段をさらに含む。
＊  端末は、ユーザーアイコンに対応するユーザーについて、またはユーザーからの異なる情報要素を選択的に表示することができるようにするグラフィカルユーザーインターフェースを含む。
＊  前記情報要素は、ユーザー端末位置特定データ、ユーザーが関与しているメッセージスレッド、または前記ローカル無線ネットワークを介して受信されたユーザー端末のカメラにより生成されるビデオストリームを含む。
＊  異なる情報要素の選択的表示は、ユーザーアイコンがそれに向かってドラッグされる特定のゾーンにしたがって実施される。
＊  前記ユーザー端末は、前記ローカル無線ネットワークを介して受信されるコンテキスト情報を表示できるようにするユーザーインターフェースを含む。
＊  前記ユーザーインターフェースは、ユーザー作動型キーワードの表示を含む。
【００１８】
本発明はさらに、イベントに参加するユーザーに対してイベント関連コンテンツを提供するための方法において、
−  イベント関連コンテンツのソースを準備するステップと、
−  イベントサイトにおいて、前記ソースに接続され、イベント中複数のユーザー端末によりアクセス可能である、ローカル無線ネットワークを具備するステップと、
−  イベント中、少なくとも一つのカメラでイベントを撮影するステップと、
−  イベント関連コンテンツ、および前記単数または複数のカメラにより提供されるビデオストリームを、ユーザー端末に対して選択的に提供するステップと、
−  時間、ユーザー端末の場所、およびトリガリングイベントを含む群の中に含まれるパラメータの関数として、イベント関連コンテンツの性質および内容を制御するステップと、
を含む方法をさらに提供する。
【００１９】
方法は、任意には、システム、コントロールルーム機器およびユーザー端末の上述の好ましい、ただし非限定的な態様を実施するさらに任意のステップを含む。
【００２０】
本発明は、例として提供され添付図面を参照して行なわれているその好ましい実施形態についての以下の説明から、より容易に理解されるものである。
【図面の簡単な説明】
【００２１】
【図１】本発明に係る付随するシステムを伴うイベントサイトの概観である。
【図２】ユーザーのスマートホンとイベントのチケットとの間のインタラクションを概略的に例示する。
【図３】イベントに結びつけられた統一ウェブ受信空間を生成するためのエディタ機器を概略的に例示する。
【図４】コントロールモジュールおよび機器とのその接続を概略的に示す。
【図５】システムと関連づけてタイムライン生成を例示する。
【図６】編集コンテンツに対するエディターおよびユーザーからの主要なアクションのダイヤグラムである。
【図７】システムに接続されたユーザー端末のためのメニュー構造を例示する。
【図８】システムに接続されたユーザー端末上の例示的ディスプレーを示す。
【図９】ユーザー端末上でユーザーに提供される、コンテキストナビゲーション機能を例示する。
【図１０】本発明に係るシステム内におけるタイムライン生成、編集フィルタパラメータ化、およびスクリーンマスク設計の一般的プロセスを例示する。
【発明を実施するための形態】
【００２２】
１）  定義
イベント：カルチャーショー、コンサート、スポーツイベント、コミュニティイベント、政治イベント、または他の任意のタイプのイベントのいずれであるかに関わらず任意の公開イベント。
【００２３】
著名人：一般人に知られたあらゆる人物または人物グループ（音楽グループ、演劇一座、スポーツチームなど）
【００２４】
エディター：サービスの編集コンテンツを公開する人物、またはそのアニメーションおよびモデレーションを行う、または監督する人物；エディターはイベントのプロデューサ、オーガナイザまたは他の任意のパートナーの指示を受ける可能性がある。
【００２５】
ユーザー：入場チケットを持ち、無料であるかチケットの価格に含まれているか、あるいは追加料金として請求されるかのいずれであるかに関わらず、サービスを使用することを選択した観客。
【００２６】
トリガリングイベント：イベントと同時に発生し、エディターがアクションをトリガーするようにタイムラインのプログラミングにおいて使用するか、または考慮に入れることのできる、予想された、または予想されていない、単一のハプニング（一著名人の到着など）、無作為の現象（雨の到来など）、偶発事（観衆の一人の病気など）。
【００２７】
アクション：イベントの組織との関連で、一つのアクションは、タイムラインのリアルタイムでのプログラミング、または更新によって引き起こされる；それには、ナビゲーションメニューの修正、１セクションのオンまたはオフ切替え、スクリーンフォーマットと一般的ホームページまたは１セクションのホームページ上の別のフォーマットとの間の遷移、ビデオブロードキャストの開始または停止などが関与し得る。
【００２８】
タイムライン：トリガリングイベントのリストをそれらの発生順に、またはそれらが発生するはずの順序でタイムスケール上に表示するための手段。本発明によると、タイムラインは同様に、情報セクションのオンオフ切替えなどのアクション、およびさまざまなセクションの異なるウェブスクリーン表示フォーマット間での遷移を、タイムスケール上でプログラミンングし表示するための手段でもある。これらのアクションは、時間内で絶対的に（例えばｄ−３はイベントの三日前）、または一つのトリガリングイベントの発生または一基準の値（例えばアーチストの出現、雨の到来など）との関係において相対的に、位置づけすることができる。
【００２９】
編集フィルタ：編集フィルタは、タイムライン中でメディアおよびデータを整列させるため、消費者端末上のあるメディアをプッシュするため、消費者がメディアおよびメッセージの広い選択肢の中でナビゲートするのを助けるため、そして消費者に対し消費者の体験の枠内で関連する個人化されたデータ（マーケティングメッセージを含む）をプッシュするために使用される。このようなフィルタは、静的（すなわち地理的位置特定、カメラ位置、ショーを伴う特定のイベント）、および動的／コンテキスト的（ファンについて我々が有する特定のデータ、例えば彼の音楽的選好、年令または嗜好；アクショントリガー、例えば写真の投稿またはコメントの作成；タイムライントリガー、例えばショーが始まる前の個人化されたメッセージの送付など）であり得る。
【００３０】
プロキシ：本発明に関連して、プロキシサーバーは、ユーザー端末とメインアプリケーションサーバーとの間のリクエストを中継するように設計されたクライアント−サーバーコンピュータアプリケーションをホストする、サーバーハードウェアである。その役目は、ユーザーリクエストを加速し、大きいメディア要素を局所的に記憶することによりイベントサイトとメインアプリケーションサーバーとの間のトラフィックを最小限に抑えることにある。その存在は、結果としてネットワーク上のトラフィックを削減し、こうして等しい帯域幅を有するユーザーの数を増大させることになる。
【００３１】
２）  システムの説明
ここで図１を参照すると、イベントサイト１００において、移動式または定置式コントロールルーム１２０は、一つまたは複数のカメラ（バックステージカメラ１００、「メイキング」カメラ１１１、観衆に面したカメラ１１２など）由来の画像を受けとる。コントロールルームは、例えば複数のＷｉＦｉベース１３０によって実装されるローカルＷｉＦｉベースの無線ネットワークを介したストリーミングなどにより、これらの画像をユーザー／観客１４０所有の携帯端末にブロードキャストする。
【００３２】
コントロールルーム１２０は同様に、ネットワーク１５０を介してウェブサーバー１６０に接続されている。コントロールルーム１２０は、トラフィック量によって必要とされる場合には、サーバー１６０の全体的または部分的画像プロキシサーバーを含むことができる。ユーザー／観客１４０の端末は、こうしてコントロールルーム１２０およびそのプロキシサーバーを介して、およびネットワーク１５０を介して、サーバー１６０と通信しインタラクトすることができる。この接続は、同じくサイト１００にサービス提供しているテレコムオペレータが提供しサーバー１６０に直接達することを可能にしているものに対する、代替案である。
【００３３】
ベース１３０により実装されているローカルＷｉＦｉネットワークのトポロジーは、コントロールルーム１２０がコンテキストエンジンを組込んで端末の地理的位置特定を可能にすることができるようなものである。それは、詳細には、好ましくは最低３つのセルを含む。
【００３４】
ここで図２を参照すると、システムのユーザーとなることを望む観客は、自らのスマートホン２１０で読取ることのできる機械可読コード、好ましくはプリントされた光コード（ＱＲコード（登録商標）など）を含むチケット２００を受けとる。このコード化画像は、サーバー（ＵＲＬ）のアドレス、およびイベントの識別情報を少なくとも含んでいなければならない。当然のことながら、他の技術（磁気帯、ＮＦＣタグ、バーコードなど）も、コードの実装に使用することができる。
【００３５】
このコードの読取りは、サービスに特定のアプリケーションをダウンロードするために、スマートホン２１０がネットワーク２２０を用いてサーバー２３０に接続できるようにする。
【００３６】
このコードの読取りは同様に、ユーザーが一回目のアクセスおよび後続する全てのアクセスにおいて、個人のＩＤまたはパスワードを打ち込む必要なく、サーバーでの自らの識別を可能にすることができる。この識別は、コード画像内に含まれたイベントのＩＤ、およびスマートホン端末の一意的ＩＤ（ＩＭＥＩ）の同時伝送により行なうことができる。
【００３７】
図３は、一つのイベントに結びつけられた統一ウェブ受信空間を生成するためのエディタプラットフォームを例示している。システムは、Ｗｅｂ３５０に接続された第一のエディタモジュール３００を含み、このモジュールはこのウェブからイベントおよびそのコンテキストに関する情報を収集する。収集された情報、またはそのアクセスを可能にするリンク（ＵＲＬ）は、データベース３２０内に記録される。
【００３８】
エディタプラットフォームの第二のエディタモジュール３１０も同様に、ウェブ３５０に接続され、そこから情報を収集し、この情報をフィルタリングし、リアルタイムでサーバー１６０に再度ブロードキャストする。
【００３９】
エディタ端末３３０は、彼つまりエディターがモジュール３００および３１０内の機能およびフィルタをパラメータ化して、モジュール３００によりデータベース３２０内に記憶される情報と、モジュール３１０によりフィルタリングされリアルタイムでブロードキャストされるものとを選択できるようにする機能を有する。
【００４０】
ユーザーは、ネットワーク３６０を介してサーバー１６０に付し自らの端末３４０または１４０を接続することにより、記憶されブロードキャストされた情報を参照する。
【００４１】
ここで図４を参照すると、イベント中、コントロールルーム１２０は、ネットワーク１５０を介してサーバー１６０に接続される。コントロールルーム１２０は、サーバー１６０の全体的または部分的画像プロキシサーバーを含み得る。
【００４２】
コントロールモジュール４００は、エディターが端末４３０を介して一つまたは複数のタイムライン４１０を管理できるようにする。これらのタイムライン４１０は、サーバー１６０およびコントロールルーム１２０によりユーザーに対し提供される、異なるサービスセクションの開閉などのアクションの、時間内にパラメータ化すべきトリガリングを可能にする。
【００４３】
イベント中、このコントロールモジュール４００は、好ましくはコントロールルーム１２０内に置かれる。
【００４４】
ここで図５を参照すると、端末４３０を介してエディターが管理および運営するコントロールモジュール４００の単数または複数のタイムライン４１０は、トリガリングイベントの時刻および発生に応じてユーザーに対し提供される異なるサービスの開放などの、時間内にパラメータ化すべき異なるアクションを可能にする。
【００４５】
エディターは、端末４３０の入力デバイスを用いて、端末のディスプレーデバイス上に表示されたタイムライン上に、トリガリングイベント４２０を位置づけし、このトリガリングイベントはプログラミングルールを適用することによりアクション４４０をトリガーする。
【００４６】
図６は、編集コンテンツ６２０上の６１０などのユーザーおよびエディタ６００の主要な機能性のダイヤグラムである。
【００４７】
自らを識別した後（ログイン）、エディタ６００は、適切なユーザーインターフェースにより、編集コンテンツ６２０の全てまたは一部分を公開、編集、更新または削除することができる。エディターは同様に、ユーザーによるコメントに応答することもでき、必要であれば、自ら不適切とみなしたサービスに対する介入を抑制することもできる。
【００４８】
自らを識別した後（ログイン）、ユーザー６１０は、編集コンテンツ６２０を参照し、コメントまたは追加の編集コンテンツを公開することによりそれに寄与することができる。ユーザーは同様に、自分のプロフィールおよびデータを公開し管理することもできる。
【００４９】
図７は、サービスの編集コンテンツ、およびユーザー６１０が前記サービスにアクセスできるようにするメニューの、構造化の実施例である。これらのメニューに対するアクセス権は、使用される端末のタイプによって左右される。一部のメニューは例えば、スマートホンからのアクセス専用であってよい。これらのアクセス権は、エディターが管理するタイムラインの一つによって制御されてよい（図４および図５を参照のこと）。
【００５０】
図８は、スマートホンまたはタブレット上のサービスの１セクションのディスプレー８００の実施例を示す。このディスプレーは、メニュー領域８１０、エディターからのメッセージを表示するための領域８２０、オンライン状態にあるユーザーを表わすアイコンを表示するための領域８３０、スライド／ムーブ動作を表示し受入れるための領域８４０、８４１、８４２を含む。ユーザーは、これらの領域８４０、８４１、８４２のうちの一つに向かって、領域８３０内のアイコン８３１のいずれかを移動させることができる。アイコン８３２は、領域８４２に向かうこのような動きの一例である。
【００５１】
領域８４０に向かうアイコン８３１の動きは、このユーザーに結びつけられたスマートホンの現在の地理的位置特定情報を表示させる。領域８４１に向かうアイコン８３１の動きは、このユーザーにより伝送されたディスカッションスレッドを表示させる。領域８４２に向かうアイコン８３１の動きは、このユーザーにより伝送された画像またはビデオストリームを表示させる。
【００５２】
図９は、ユーザーに提供されるコンテキストナビゲーション機能を示す。ユーザーが選択したメニュー、およびユーザーが参照している情報のタイプの如何に関わらず、この機能は、ユーザーが自分の端末のディスプレー上で「トレンド」アイコンと呼ばれるアイコン９００を見ることができるようにする。このアイコンに対する一つのアクション（タッチまたはクリック）が、キーワードクラウド９１０の形でのコンテキストナビゲーションガイドを表示させる。このワードクラウド９１０は、現行の参照コンテキスト中における各ワードの出現頻度を考慮に入れることによって構築される。キーワードの一つに対する一つのアクション（タッチまたはクリック）が、関係する編集コンテンツ要素を表示させる。
【００５３】
図１０は、タイムラインの一般的構築プロセス、およびユーザーに提供されるメニュー、オプションおよび特定のコンテンツ要素の管理のための動的レイアウトを描いている。メニュー中に異なるセクションが出現するか否か、ならびにこれらのセクションの各々のホームページの形状は、一定数の基準の選択および所与の瞬間におけるこれらの基準の値に左右される。これらの基準を管理し考慮するためのルールは、コントロールモジュール４００により管理されるタイムラインドキュメント４１０中に記録される（図４および図５参照）。
【００５４】
編集フィルタのプログラミングも同様に、広告用コンテンツを含めて、ユーザーのプロフィールに適応された編集コンテンツをリアルタイムで動的に選択できるようにする。
【００５５】
３）  統一ウェブ受信空間および編集コンテンツの構築
指摘した通り、編集コンテンツはサーバー１６０内に収集され部分的にホストされ、このサーバーは、イベントに一意的な統一ウェブ受信空間を介してサービスを入力するためにユーザーがアクセスするものである。
【００５６】
第一のエディタモジュール３００はメタ検索エンジンを含み、このエンジンは、エディターがプログラミングした一連のキーワードにより、プログラミングされたイベントに関係すると思われる全ての情報およびサービスのためのウェブ検索を生成する。エディターはこれらの要素を認証し、その利点に応じてそれらを保持するか破棄する。それらのタイプおよび付随する著作権に応じて、エディターは、ローカルデータベース３２０内にコンテンツ自体、またはコンテンツをホストするサーバーへのリンクのいずれかを、記憶する。エディターは、必要な場合には、情報を再フォーマットするか、それを再フレーミングするか、あるいはそのフォーマットを調整することができる。このモジュールは、有利には、エディターをそのタスクにおいて補助する目的でコンテンツの意味解析をするための機能を含む。
【００５７】
このウェブ受信空間に結びつけられた第二のエディタモジュール３１０は、エディターがプログラミングする一連のキーワードによって、エディターがリストを予め定義しプログラミングするソーシャルネットワーク上で交換されたそのイベントに関係するメッセージを検索しフィルタリングすることを可能にする。ＴｗｉｔｔｅｒTMネットワークの例においては、エディターは、フィルタリング用キーワードに加えて、見るべき、好ましい、あるいは回避すべき（ブラックリスト）ハッシュタグおよびアドレスのリストをプログラミングすることができる。こうして収集されたメッセージは、その由来に応じてフラックスコードにより識別される。これらのフラックスは、コントロールモジュール４００内の対応するタイムライン４１０をプログラミングすることにより、エディターが決定する時に開放または閉鎖されてよい。
【００５８】
４）  ユーザーの接続、受信および識別
以上の説明によるユーザーは、本発明が提供するサービスを選択した観客である。このユーザーは、ウェブ受信空間をホストするサーバーについての識別およびアドレスデータを含むイベント入場チケット２００を受信する。このデータは、例えば二次元印刷されたコード画像（ＱＲコード（登録商標）など）によってチケット上に記録可能である。
【００５９】
この光コードは、少なくとも、統一ウェブ受信空間をホストするサーバーのアドレス（ＵＲＬ）および関係するイベントの一意的ＩＤを含む。
【００６０】
ユーザーは、自分のスマートホンに内蔵されているカメラを用いてこのコードを読むことによって、イベントの統一ウェブ受信空間をホストするサーバー２３０に接続し、スマートホン上にインストール済みでない場合にはそのサービスに特定のアプリケーションをダウンロードすることができる。
【００６１】
第一の実施形態において、ユーザーは、イベントへの入場チケットを購入する場合に、例えばそのＥメールアドレスであり得る一意的ＩＤを提供する。接続の度毎に、ユーザーは、この一意的ＩＤ、および自らが最初のアクセス以降にプログラミングしたまたは修正したパスワードによって、識別される。入場チケット上に印刷されたコードは、この実施形態において、全てのチケット上で同じであり得る。
【００６２】
第二の実施形態において、コードは各チケット上で異なり、サーバーのアドレスおよびイベントのＩＤに加えて、チケットの一意的ＩＤを含む。この実施形態において、ユーザーのスマートホンにダウンロードされたアプリケーションは、接続毎に、イベントの識別情報、チケットの識別情報、およびスマートホンの一意的ＩＤ（ＩＭＥＩ）などのユーザーＩＤを、サーバーに伝送する。この実施形態においては、ユーザーはそのスマートホンを介して接続するために何も入力する必要がない。標準的ウェブブラウザを用いて（すなわち、自分のスマートホン上の特定のアプリケーションを使用せずに）接続することも同様に望む場合、ユーザーは、一意的ＩＤ（Ｅメールアドレスなど）、およびパスワードを自分のプロフィール内で提供しなければならない。
【００６３】
標準的ウェブブラウザを介した接続および識別は、全ての実施形態において、ユーザープロフィール内に記録されている一意的ＩＤ（Ｅメールアドレスなど）およびパスワードを打ち込むことにより行なわれる。
【００６４】
５）  リアルタイムでのメディアストリームの受信、フォーマッティングおよび再ブロードキャスト
イベント中、カメラ１１０、１１１、１１２はイベントサイトに分布している：バックステージカメラ、「メイキング」カメラ、公共カメラなど。
【００６５】
これらのカメラによって捕捉されるビデオストリームは、可動式コントロールルーム１２０に伝送される。このコントロールルーム１２０は同様に、ローカルＷｉＦｉネットワークを介して、スマートホン１４０を用いてユーザー／観客が捕捉したメディア要素も受信する。コントロールルーム１２０は、ネットワーク１５０を介してウェブ受信空間をホストするサーバー１６０に接続され、そこからメディア要素を収集することができる。コントロールルームは、これらのメディア要素の全てをミキシングしてリアルタイムで一つまたは複数の「ミニショー」を構築できるようにする機能性を有する。
【００６６】
これらの「ミニショー」はこうして、先に記録されたメディア要素、ウェブ上で収集されたメディア要素、そして特にイベントサイトの周囲に分布させたカメラ由来のおよび自らのスマートホン１４０上のカメラのおかげでレポータとなったユーザー／観客由来のメディア要素を、統合することよって制作される。これらのミニショーには、サイト上または他のソーシャルネットワーク上でリアルタイムに交換されたコメントおよび所見、ユーザーが行なったミニインタビューなどが含まれる可能性がある。
【００６７】
メタデータ（執筆者、セクション、タイプ、時間、地理的位置特定情報など）と結びつけられたこれらの「ミニショー」は、コントロールルーム１２０と一体化されたプロキシサーバーにアップロードされ、その中に記憶されて、イベントサイトに存在するユーザーのスマートホン端末１４０に再ブロードキャストされる。
【００６８】
６）  サービスアクセス
観客は、ウェブブラウザを介してレギュラーサイズの端末から、または特定のアプリケーションを介して小型スクリーンを伴う携帯端末から、サービスにアクセスすることができる。
【００６９】
イベントに関する大量の情報をレギュラーサイズの端末から参照しても、いかなる具体的問題も発生しない。しかしながら、携帯端末からの参照は、観客にとって落胆させるものであるかもしれない。したがって、観客の関心を維持するためには、楽しくかつ案内付きのアプローチを提供することが有用である。
【００７０】
従来の「ナビゲーション」アプローチは、図７に示されているものなどの固定メニュー、およびキーワード検索領域を提供することからなる。本発明の一つの態様は、一定数の基準にしたがって、このメニュー、そのセクション、これらのセクションのホームページを適応させるステップを含む。
【００７１】
これらの基準のうち第一のものは、端末のタイプである：標準的ウェブブラウザを介した参照のために提案されるセクションは、スマートホンアプリケーションを介した参照のために提供されるセクションとは異なる。一部のセクションおよび機能は、こうして、イベントサイトにいるスマートホンユーザーに専用のものとなる。
【００７２】
他の基準は以下の通りである：
・  日付と時刻：メニューは、イベントの前後および最中で異なるかもしれない；例えば駐車スペースの空き状況は、イベントの開始前の数時間だけ関心の的となる。
・  ユーザー端末の地理的位置特定：メニューおよびセクションは、ユーザーのいる場所に応じて異なるかもしれない；例えば、ユーザーは、自らがイベントサイトに位置している場合にのみリアルタイムストリームにアクセスできるかもしれず、あるいはユーザーは、専用領域からストリームを伝送するのを禁じられる可能性がある、等々。
・  外部トリガリングイベント４２０の発生：セクションのホームページは、著名人の到着時、ショーまたはスポーツイベントの開始時、ショーの休憩時間またはスポーツイベントのハーフタイム時、偶発事または事故の発生時などにおいて変わるかもしれない。
【００７３】
セクションをオンラインにするか、またはそれらをオフラインにするためのアクション４４０、ならびに異なるセクションのホームページのフォーマット間の遷移は、コントロールモジュール４００によって準備され管理される、対応するタイムライン４１０上でプログラミングされる。
【００７４】
図８に示されているものなどのホームページ８００は同様に、デフォルト設定で、コントロールルームが生成しブロードキャストする「ミニショー」へのアクセスを提供することもできる。異なるセクションの間をナビゲートすることにより、ユーザーは、イベントのサイドライン外側上で多数の並行する「ミニショー」を観賞し、参加すること、例えばバーチャルリアリティの技術によってバックステージに入るか、または部屋のまわりを移動することができる。これらの「ミニショー」を構成する要素には、その著作者のクレジットが表示され、対応するカメラの地理的位置特定情報が提供され得る。
【００７５】
一つのセクションから別のセクションに進むためには、ユーザーはメニュー８１０を使用する。付随するメディア要素を参照するため、ユーザーは、さまざまなメニューセクション中に存在する付随する「トレンド」ボタン９００を使用して図９のワードクラウド９１０を表示することができる。
【００７６】
携帯端末スクリーンのサイズを考慮すると、「ミニショー」または他の任意のメディア要素の検分は、通常フルスクリーンモードで行なわれる。わずかなナビゲーションアイコン、そして特に「トレンド」９００アイコンがディスプレーのサイド、またはコーナーに保持される。このアイコンに対する一つのアクション（タッチまたはクリック）により、コンテキストワードクラウドが表示されることになる。このワードクラウドは、検分されているメディアに結びつけられたメディア要素を記述するワードの頻度に基づいて構築される。
【００７７】
７）  イベントコントロールモジュールおよびタイムライン
コントロールモジュールは次の二つの主要な機能を有する：
・  イベントの前には、異なるメニューセクションへのアクセス権の管理用（一般的タイムライン）、およびこれらのセクションのホームページの異なる形態間での遷移用（セクションタイムライン）に、タイムラインを準備すること；
・  イベント中、これらのタイムラインを制御すること。
【００７８】
一般的タイムラインの目的は、異なるセクションのアクセス権、およびオンオフ切替え、そしてメニュー内での前記セクションの位置づけを管理することにある。
【００７９】
セクションタイムラインの目的は、所与のセクション内の異なるホームページ形態およびコンテンツ間の遷移を管理することにある。
【００８０】
タイムラインのプログラミングは、アクションを既定の瞬間にトリガーできるようにするばかりでなく、トリガリングイベントとそれに続くアクションの間のリンクも可能にする。トリガリングイベントの発生は、一つまたは複数のアクションをトリガーする。コントロールモジュール４００を介して、所与のタイムライン上で外部トリガリングイベント４２０が発生することを標示するのは、エディターである。同じコントロールモジュール４００は同様に、エディターがこれらのタイムラインをリアルタイムで修正できるようにする。
【００８１】
こうして、メニュー、セクション、およびナビゲーションにおけるそれらの場所は、トリガリングイベントの時刻または発生によって左右される場合がある。こうして、駐車スペースの空き状況は、観客が到着する時点でのみ関心の的となる。友人に対する喝采（誕生日、祝賀など）は、人々が待っている部屋にこの友人が入ってきた時点でもたらされ得るのとちょうど同じように、エディターは、著名人の到着時点で所与のシーケンスのブロードキャストをトリガーする。
【００８２】
したがって、サービスの形態およびコンテンツは、これらのタイムラインの予備的プログラミングおよび制御により、リアルタイムで修正され得る。
【００８３】
８）  イベントサイト、移動式コントロールルーム、および地理的位置特定の配備
説明した通り、「ミニショー」は、イベントサイトの周囲に分布するカメラ１１０、１１１、１１２によりコントロールルーム１２０に伝送されるビデオストリームから、リアルタイムで生成される。各カメラ上のＷｉＦｉタグは、イベントサイトにおけるその精確な位置を特定できるようにする。コントロールルームは同様に、イベント中にユーザーが自分のスマートホン１４０を用いて捕捉したメディア要素、およびネットワーク１５０を介してウェブ受信空間をホストするサーバー１６０からのメディア要素を受信する。コントロールルームは、これらのメディア要素の全てをミキシングして、一つまたは複数の「ミニショー」を制作する。
【００８４】
コントロールルーム１２０はさらに、ネットワーク１５０中に帯域幅の制約がある場合、サーバー１６０用のプロキシとして作用することができる。
【００８５】
さらに、イベントの間中、コントロールルーム１２０は、タイムライン４１０のコントロールモジュール４００をホストし、予想されるトラフィックに応じてサイズ決定されたＷｉＦｉアクセスポイント１３０を介して、ユーザー／観客との接続を保証する。ＷｉＦｉアクセスポイントのトポロジーは、さらに、カメラ１１０、１１１、１１２およびユーザー／観客１４０の、所要の精度での地理的位置特定を可能にするように設計されている。この目的で、コントロールルームは、ＵＳＡ、カリフォルニア州のＣｉｓｃｏ社、またはスウェーデン、ストックホルム市のＡｐｐｅａｒ  Ｎｅｔｗｏｒｋｓ社が提供しているものなどのコンテキストエンジンを使用することができる。このコンテキストエンジンは、イベントサイトの３Ｄモデリングと端末の生座標とを相関することができる。
【００８６】
当然のことながら、本発明は、以上で記述され添付図面に示された実施形態に限定されるわけではなく、当業者であれば、多くの変形形態および修正を策定できるものである。
【図１】
2018038056.tif 000003
【図２】
2018038056.tif 000004
【図３】
2018038056.tif 000005
【図４】
2018038056.tif 000006
【図５】
2018038056.tif 000007
【図６】
2018038056.tif 000008
【図７】
2018038056.tif 000009
【図８】
2018038056.tif 000010
【図９】
2018038056.tif 000011
【図１０】
2018038056.tif 000012
【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
イベントに参加するユーザーに対しイベント関連コンテンツを提供するためのシステムにおいて、
−  イベントを撮影するためのカメラセットと、
−  前記カメラからビデオストリームを受信するように適応された中央ユニットと、
−  イベントサイトにある複数のユーザー端末と、
−  前記中央ユニットと前記複数のユーザー端末間の通信のためのローカル無線ネットワークと、
−  前記中央ユニットによりアクセス可能であるイベント関連編集コンテンツのソースと、
−  前記ローカル無線ネットワークを介して前記中央ユニットにより提供されるイベント関連編集コンテンツおよびビデオストリームを、専用ユーザーインターフェースを通して選択的に表示することができ、前記ユーザー端末の各々の内に具備されている、表示ユニットと、
−  受信したイベントチケットまたは付随するデータから、前記中央ユニットとの通信を確立するための接続情報を導出するための、前記ユーザー端末の各々の内に具備されている、導出ユニットと、
−  前記中央ユニットに具備されるコンテンツコントロールユニットであって、
＊トリガリングイベントまたはイベントに関係するプログラミングされたアクションに応答して、および、時間の関数として、接続されたユーザー端末によるコンテンツおよびサービスへのアクセス性を規定する為のタイムラインプログラム情報を生成して記憶ずるための、タイムライン生成および管理サブユニットと、
＊トリガリングイベントの発生および実時間の関数として、タイムラインプログラムの実行に応答して、接続されたユーザー端末に、選択されたコンテンツおよびサービスへのアクセス性を提供する為の、アクセスコントロールサブユニットを含む、
コンテンツコントロールユニットと、
を含むシステム。
【請求項２】
前記アクセスコントロールサブユニットがさらに、ユーザー端末位置特定情報に応答して動作することを特徴とする、請求項１に記載のシステム。
【請求項３】
イベント関連編集コンテンツを生成するためのエディタプラットフォームをさらに含み、前記エディタプラットフォームが、外部データソースからイベント関連情報を検索し、前記情報を記憶するための検索エンジンを含めた、第一の編集モジュールを含んでいる、請求項１に記載のシステム。
【請求項４】
前記エディタプラットフォームが、イベント関連データフラックスをフィルタリングし、検索されたフラックスを前記中央ユニットへと導くための検索エンジンを含む第二の編集モジュールを含む、請求項３に記載のシステム。
【請求項５】
前記データフラックスがインスタントメッセージフラックスを含む、請求項４に記載のシステム。
【請求項６】
前記検索エンジンが、ユーザープロフィール情報に基づく検索基準を使用できる、請求項３に記載のシステム。
【請求項７】
ローカル無線ネットワークを介してユーザー端末から受信した命令に応答して、プロフィールアクセス性を含めたユーザープロフィール情報を変更するためのユーザープロフィール管理ユニットをさらに含む、請求項６に記載のシステム。
【請求項８】
ローカル無線ネットワークを通して伝送されたユーザー端末からのアクションに応答して編集コンテンツを変更するための編集コンテンツ管理ユニットをさらに含む、請求項１に記載のシステム。
【請求項９】
前記ユーザー端末が、中央ユニットに接続された他のユーザー端末を表わすユーザーアイコンを表示することができる表示ユニットをさらに含む、請求項１に記載のシステム。
【請求項１０】
前記ユーザー端末が、対応するユーザーに関するまたは対応するユーザー由来の異なる情報要素を選択的に表示できるようにするグラフィカルユーザーインターフェースを含む、請求項９に記載のシステム。
【請求項１１】
所与のユーザーに関する前記情報要素が、ユーザー端末位置特定データ、所与のユーザーが関与しているメッセージスレッド、または所与のユーザー端末のカメラにより生成されるビデオストリームを含む、請求項１０に記載のシステム。
【請求項１２】
異なる情報要素の選択的表示が、ユーザーアイコンがそれに向かってドラッグされる特定のゾーンにしたがって実施される、請求項１１に記載のシステム。
【請求項１３】
前記ユーザー端末が、前記編集プラットフォームから導出されるコンテキスト情報を表示できるようにするユーザーインターフェースを含んでいる、請求項１に記載のシステム。
【請求項１４】
前記ユーザーインターフェースがユーザー作動型キーワードの表示を含む、請求項１３に記載のシステム。
【請求項１５】
前記ユーザー端末が捕捉した情報を前記中央ユニットに伝送するための、ユーザー端末内に具備されている伝送ユニットをさらに含み、こうして前記情報を前記中央ユニットおよび前記ローカル無線ネットワークを介して他のユーザー端末へと転送できるようになっている、請求項１に記載のシステム。
【請求項１６】
前記捕捉された情報がビデオストリームを含む、請求項１５に記載のシステム。
【請求項１７】
前記ビデオストリームが、バックステージイベントおよびミニショーなどのイベントのサイドシーンのビデオストリームを含む、請求項１６に記載のシステム。
【請求項１８】
前記捕捉された情報が、ユーザー入力インスタントメッセージを含む、請求項１５に記載のシステム。
【請求項１９】
前記カメラの位置特定情報を決定するため、および前記ユーザー端末上に前記位置特定情報を選択的に表示するためのコンテキストエンジンをさらに含む、請求項１に記載のシステム。
【請求項２０】
前記タイムライン生成および管理サブユニットが、トリガリングイベントが実際に発生したことに応答して、トリガリングイベントと、前記コンテンツコントロールユニットを支配する動作条件とを、時間軸上で設定するためのユーザーインターフェースを有する、請求項１に記載のシステム。
【請求項２１】
中央ユニットが第二のネットワークを介してイベント関連編集コンテンツソースに接続されており、中央ユニット内にはイベント関連編集コンテンツの少なくとも一部分のコピーを記憶して、前記第二のネットワークの負荷が制御されるようにできる記憶ユニットをさらに含む、請求項１に記載のシステム。
【請求項２２】
イベントに参加するユーザーに対しイベント関連コンテンツを提供するための中央ユニットを含む、イベントブロードキャスト用のコントロールルーム機器において、前記中央ユニットが、
−  コントロールルーム機器に接続されたカメラからのビデオストリームを受信するためのビデオストリーム受信ユニットと、
−  前記中央ユニットとイベントサイトにある複数のユーザー端末との間の通信のために、ローカル無線ネットワークに接続するための接続ユニットと、
−  イベント関連コンテンツを前記中央ユニットに提供するように適応されたイベント関連編集コンテンツのソースにアクセスするためのアクセスユニットと、
−  ビデオストリームおよびイベント関連コンテンツを含む組合せ型コンテンツを、前記ローカル無線ネットワークを介して選択的にブロードキャストするためのブロードキャストユニットと、
−  ローカル無線ネットワークに接続されたユーザー端末からのユーザー関連情報要素を、前記ローカル無線ネットワークを介して受信するためのユーザー関連情報受信ユニットと、
−  前記中央ユニット内に具備されているコンテンツコントロールユニットであって、
＊トリガリングイベントまたはイベントに関係するプログラミングされたアクションに応答して、および、時間の関数として、接続されたユーザー端末によるコンテンツおよびサービスへのアクセス性を規定する為のタイムラインプログラム情報を生成して記憶ずるための、タイムライン生成および管理サブユニットと、
＊トリガリングイベントの発生および実時間の関数として、タイムラインプログラムの実行に応答して、接続されたユーザー端末に、選択されたコンテンツおよびサービスへのアクセス性を提供する為の、アクセスコントロールサブユニットを含む、
コンテンツコントロールユニットと、
を含む、コントロールルーム機器。
【請求項２３】
前記情報要素が、ユーザー端末位置特定データ、および／またはユーザーが関与するメッセージスレッド、および／またはユーザー端末のカメラにより生成されたビデオストリームを含む、請求項２２に記載のコントロールルーム機器。
【請求項２４】
前記情報要素が、プロフィールアクセス性を含めたユーザープロフィール情報を変更するための命令を含む、請求項２２に記載のコントロールルーム機器。
【請求項２５】
前記情報要素が、コントロールルーム機器により編集コンテンツを変更するための命令を含む、請求項２２に記載のコントロールルーム機器。
【請求項２６】
前記カメラの位置特定情報を決定するためのコンテキストエンジンをさらに含む、請求項２２に記載のコントロールルーム機器。
【請求項２７】
前記コンテンツコントロールユニットが、トリガリングイベントが実際に発生したことに応答して、トリガリングイベントと、前記コンテンツコントロールユニットを支配する動作条件とを、時間軸上で設定するためのユーザーインターフェースを有するタイムライン生成モジュールを含む、請求項２２に記載のコントロールルーム機器。
【請求項２８】
ネットワーク通信能力を有するユーザー端末において、
−  所与のイベントについてのイベント関連コンテンツのサーバーに対する接続のため、イベントチケット情報から接続情報を導出するための導出ユニットであって、ここで、前記サーバーは請求項２２に記載のコントロールルーム機器に接続されている、導出ユニットと、
−  イベントにおいて展開されるローカル無線ネットワークを介した前記サーバーへの接続のための接続ユニットと、
−  前記ローカル無線ネットワークを介して、前記コントロールルーム機器の中央ユニットから受信されたイベント関連コンテンツを表示することができる表示ユニットと、
− 前記中央ユニットに具備される前記コンテンツコントロールユニットによってアクセス可能にされるサービスおよびコンテンツに選択的にアクセスするためのコンテンツアクセスユニットと、
を含む、ユーザー端末。
【請求項２９】
前記サーバーに対してユーザープロフィール情報を転送するためのユーザープロフィール情報転送ユニットを含む、請求項２８に記載のユーザー端末。
【請求項３０】
ローカル無線ネットワークに接続された他のユーザー端末を表わすユーザーアイコンを表示することができる表示ユニットをさらに含む、請求項２８に記載のユーザー端末。
【請求項３１】
ユーザーアイコンに対応するユーザーについて、またはユーザーからの異なる情報要素を選択的に表示することができるようにするグラフィカルユーザーインターフェースを含む、請求項３０に記載のユーザー端末。
【請求項３２】
前記情報要素が、ユーザー端末位置特定データ、ユーザーが関与しているメッセージスレッド、または前記ローカル無線ネットワークを介して受信されたユーザー端末のカメラにより生成されるビデオストリームを含む、請求項３１に記載のユーザー端末。
【請求項３３】
異なる情報要素の選択的表示が、ユーザーアイコンがそれに向かってドラッグされる特定のゾーンにしたがって実施される、請求項３１に記載のユーザー端末。
【請求項３４】
前記ユーザー端末が、前記ローカル無線ネットワークを介して受信されるコンテキスト情報を表示できるようにするユーザーインターフェースを含んでいる、請求項２８に記載のユーザー端末。
【請求項３５】
前記ユーザーインターフェースがユーザー作動型キーワードの表示を含む、請求項３４に記載のユーザー端末。
【請求項３６】
イベントに参加するユーザーに対してイベント関連コンテンツを提供するための方法において、
−  イベント関連コンテンツのソースを準備するステップと、
−  イベントサイトにおいて、前記ソースに接続され、イベント中複数のユーザー端末によりアクセス可能である、ローカル無線ネットワークを具備するステップと、
− 受信したイベントチケットまたは付随するデータから導出された接続情報に基づいて、前記ユーザー端末と前記無線ネットワークとの間の通信を確立するステップと、
−  イベント中、少なくとも一つのカメラでイベントを撮影するステップと、
−  イベント関連コンテンツ、および前記単数または複数のカメラにより提供されるビデオストリームを、ユーザー端末に対して選択的に提供するステップと、
＊イベントに関係するトリガリングイベントに応答して、および、時間の関数として、接続されたユーザー端末によるコンテンツおよびサービスへのアクセス性を規定する為のタイムラインプログラム情報を提供するステップと、
＊トリガリングイベントの発生および実時間の関数として、タイムラインプログラムの実行に応答して、接続されたユーザー端末に、選択されたコンテンツおよびサービスへのアクセス性を提供するステップと、
を含む方法。
【外国語明細書】
2018038056000001.pdf